(57)【要約】【課題】ＩＰ網において、試験受付台接続サービス（試験受付、故障受付）を行うことを可能にする、加入者線試験システム、加入者線試験方法、およびプログラムを提供する。【解決手段】加入者端末２から試験依頼を受け付ける試験接続制御部６１を備えたＩＰ変換装置６が、ＩＰ網を介して新試験受付台システム１Ｂを接続される加入者線試験システムであって、ＩＰ変換装置６は、さらにＩＰ網による制御情報を通話チャネル（Ｂチャネル）を用いた制御信号に変換する試験コマンド変換部６２を備える。新試験受付台システム１Ｂから加入者線を試験器に引き込むための制御情報が送信されると、試験コマンド変換部６２により変換されて、試験接続制御部６１の制御により、遠隔収容装置５内に設けられた試験器１０により加入者線試験が行われることを特徴とする。【選択図】図２
2011120012.tif 000002
【特許請求の範囲】
【請求項１】
加入者端末に加入者線を介して接続され、通話チャネルを用いてＩＰ変換装置との間で加入者線試験の制御情報の送受信を行う遠隔収容装置と、ＩＰ網を介して前記制御情報を前記ＩＰ変換装置に送信する新試験受付台システムと、前記新試験受付台システムから前記制御情報を受信し、前記制御情報に基づき前記遠隔収容装置に設けられた試験器を制御する前記ＩＰ変換装置と、を備える加入者線試験システムであって、
前記ＩＰ変換装置は、
前記制御情報が記憶される記憶手段、前記遠隔収容装置および前記新試験受付台システムの間で情報の送受信を行う通信手段、並びに制御手段を備えており、
前記制御手段は、
前記新試験受付台システムから前記ＩＰ網を介して、前記遠隔収容装置に備えられた前記試験器に試験対象となる前記加入者線を引き込ませ前記試験器に前記加入者線試験を実施させる前記制御情報を受信し、前記受信した制御情報を、前記通話チャネルで送信するための制御情報に変換する試験コマンド変換部と、
前記試験コマンド変換部により変換された制御情報を、前記遠隔収容装置に送信することにより、前記遠隔収容装置に備えられた前記試験器を制御する試験接続制御部と、を備え、
前記遠隔収容装置は、
前記変換された制御情報を前記通話チャネルを介して前記ＩＰ変換装置から受信する通信手段と、前記変換された制御情報に基づき前記加入者線を前記試験器に引き込む制御手段と、前記加入者線試験を実施する前記試験器とを備える
ことを特徴とする加入者線試験システム。
【請求項２】
加入者端末に加入者線を介して接続されるＩＰ変換装置と、前記ＩＰ変換装置とＩＰ網を介して接続され、前記加入者線の加入者線試験の制御情報を前記ＩＰ変換装置に送信する新試験受付台システムと、を備える加入者線試験システムであって、
前記ＩＰ変換装置は、
前記制御情報が記憶される記憶手段、前記新試験受付台システムとの情報の送受信を行う通信手段、制御手段、および前記加入者線を試験する試験器を備えており、
前記制御手段は、
前記新試験受付台システムから前記ＩＰ網を介して、前記通信手段が受信した前記制御情報に基づき、試験対象となる前記加入者線を前記試験器に引き込み、前記試験器に前記加入者線試験を実施させる制御を行う試験接続制御部を備える
ことを特徴とする加入者線試験システム。
【請求項３】
加入者端末に加入者線を介して接続され、通話チャネルを用いてＩＰ変換装置との間で加入者線試験の制御情報の送受信を行う遠隔収容装置と、ＩＰ網を介して前記制御情報を前記ＩＰ変換装置に送信する新試験受付台システムと、前記新試験受付台システムから前記制御情報を受信し、前記遠隔収容装置に設けられた試験器を制御する前記ＩＰ変換装置と、を備える加入者線試験システムに用いられる加入者線試験方法であって、
前記ＩＰ変換装置は、
前記制御情報が記憶される記憶手段、前記遠隔収容装置および前記新試験受付台システムの間で情報の送受信を行う通信手段、並びに制御手段を備えており、
前記制御手段は、
前記新試験受付台システムから前記ＩＰ網を介して、前記遠隔収容装置に備えられた前記試験器に試験対象となる前記加入者線を引き込ませ前記試験器に前記加入者線試験を実施させる前記制御情報を受信し、前記受信した制御情報を、前記通話チャネルで送信するための制御情報に変換し、
前記変換された制御情報を、前記遠隔収容装置に送信することにより、前記遠隔収容装置に備えられた前記試験器を制御し、
前記遠隔収容装置は、
前記変換された制御情報を、前記通話チャネルを介して前記ＩＰ変換装置から受信し、前記変換された制御情報に基づき前記加入者線を前記試験器に引き込み、前記加入者線試験を実施する
ことを特徴とする加入者線試験方法。
【請求項４】
加入者端末に加入者線を介して接続されるＩＰ変換装置と、前記ＩＰ変換装置とＩＰ網を介して接続され、前記加入者線の加入者線試験の制御情報を前記ＩＰ変換装置に送信する新試験受付台システムと、を備える加入者線試験システムに用いられる加入者線試験方法であって、
前記ＩＰ変換装置は、
前記制御情報が記憶される記憶手段、前記新試験受付台システムとの情報の送受信を行う通信手段、制御手段、および前記加入者線を試験する試験器を備えており、
前記制御手段は、
前記新試験受付台システムから前記ＩＰ網を介して、前記通信手段が受信した前記制御情報に基づき、試験対象となる前記加入者線を前記試験器に引き込み、前記試験器に前記加入者線試験を実施させる制御を行う
ことを特徴とする加入者線試験方法。
【請求項５】
請求項１または請求項２に記載の加入者線試験システムにおいて前記ＩＰ網に収容される前記新試験受付台システムの代わりに、ＰＳＴＮ網に収容される試験受付台システムを用いて前記加入者線試験を実施する加入者線試験システムであって、
前記ＩＰ網と前記ＰＳＴＮ網との間にゲートウェイを設け、前記ゲートウェイが前記ＩＰ網における前記制御情報と前記ＰＳＴＮ網における前記制御情報とを相互に変換する制御情報変換手段を備え、
前記試験受付台システムは、
前記制御情報を、前記ＰＳＴＮ網を介して前記ゲートウェイに送信し、
前記ゲートウェイは、
前記ＰＳＴＮ網における前記制御情報を受信し、前記制御情報変換手段が、当該制御情報を前記ＩＰ網における前記制御情報に変換して、前記ＩＰ変換装置に送信することにより、
前記ＰＳＴＮ網に収容される試験受付台システムが、前記ＩＰ網に収容される前記試験対象となる前記加入者線の前記加入者線試験を制御する
ことを特徴とする加入者線試験システム。
【請求項６】
ＰＳＴＮ網に収容される試験受付台システムの代わりに、請求項１または請求項２に記載の加入者線試験システムにおいて前記ＩＰ網に収容される前記新試験受付台システムを用いて前記加入者線試験を実施する加入者線試験システムであって、
前記ＩＰ網と前記ＰＳＴＮ網との間にゲートウェイを設け、前記ゲートウェイが前記ＩＰ網における前記制御情報と前記ＰＳＴＮ網における前記制御情報とを相互に変換する制御情報変換手段を備え、
前記新試験受付台システムは、
前記制御情報を、前記ＩＰ網を介して前記ゲートウェイに送信し、
前記ゲートウェイは、
前記ＩＰ網における前記制御情報を受信し、前記制御情報変換手段が、当該制御情報を前記ＰＳＴＮ網における前記制御情報に変換して、前記ＰＳＴＮ網に設けられ前記加入者線を試験するための前記試験器を収容する加入者線交換機に送信することにより、
前記ＩＰ網に収容される新試験受付台システムが、前記ＰＳＴＮ網に収容される前記試験対象となる前記加入者線の前記加入者線試験を制御する
ことを特徴とする加入者線試験システム。
【請求項７】
請求項３または請求項４に記載の加入者線試験方法をコンピュータに実行させるためのプログラム。
【発明の詳細な説明】
【技術分野】
【０００１】
本発明は、ＩＰ網における、加入者線試験システム、加入者線試験方法、およびプログラムに関する。
【背景技術】
【０００２】
電話サービスの１つとして試験受付台接続サービス（試験受付、故障受付）が、電話サービス事業者により提供されている。電話がつながらない等のトラブルに対して、試験受付では、電話サービス事業者等に属する試験者からの試験受付台システムへの接続により、対象回線の加入者線試験を実施する。また、故障受付では、一般ユーザなどの発信者からの試験受付台システムへの接続により、電話サービスの故障を受け付け、電話サービス事業者等に属する保守者が加入者線試験等を実施する（例えば、非特許文献１参照）。なお、この試験受付台システムとは、試験器の起動や、試験指示、試験結果の収集を行う装置である。また、加入者線試験は、例えば、加入者線の絶縁抵抗、容量、外来電圧等を検査するものである。
【０００３】
この試験受付台接続サービス（試験受付、故障受付）は、従来技術であるレガシーネットワーク（ＰＳＴＮ：Public Switched Telephone Networks）を対象としたサービスであり、試験機能が配備された試験受付台システムに接続することにより、このサービスが提供される。
【０００４】
図１１は、従来技術における加入者線試験システムを説明するための図である。図１１を用いて、従来技術であるレガシーネットワーク（ＰＳＴＮ）で提供している加入者線の試験受付の処理動作について説明する。
【０００５】
まず、試験者（発信者）により、試験受付用特番（例えば、「１２３」（試験受付），「４５６」（故障受付）等の３桁の番号）がダイヤルされると（Ｓ１１０１）、加入者端末（または試験者の端末）２から加入者線交換機（発ＧＣ:Group unit Center）３（３ａ）に、呼接続情報が送られる。
【０００６】
次に、加入者線交換機（発ＧＣ）３（３ａ）が、ダイヤルされた番号を、試験受付台システム受付用番号（システム固有番号）に番号変換し、中継交換機４を介して、試験受付台システム１Ａを収容している加入者線交換機（着ＧＣ）３（３ｂ）にルーティングを行う（Ｓ１１０２）。
【０００７】
加入者線交換機（着ＧＣ）３（３ｂ）では、試験受付台システム受付用番号への着信を識別し、呼接続情報から強制的に発信者の電話番号（発ＩＤ）を取得して、試験受付台システム１Ａに通知する（Ｓ１１０３）。
【０００８】
試験受付台システム１Ａが、加入者線交換機（着ＧＣ）３（３ｂ）からの通知を受け付けると（Ｓ１１０４）、試験者に対し、試験を実施するために必要な情報である試験実施情報の入力を促すガイダンスを送信する。
【０００９】
次に、試験受付台システム１Ａからのガイダンスに従い、試験実施情報の項目として、例えば、被試験対象番号、試験項番、連絡先番号がＰＢ（Push Button）信号で、試験者により入力される（Ｓ１１０５）。ＰＢ信号は、みなし音声として試験受付台システム１Ａに送信される。ここで、被試験対象番号は、実際に試験者が試験を行う対象となる加入者線を特定するための番号である。試験項番は、例えば、加入者線の絶縁抵抗、容量、外来電圧等の試験項目を特定するための番号である。また、連絡先番号は、試験結果の通知を試験受付台システム１Ａから受信する端末の番号である。
【００１０】
続いて、入力内容に従って、試験受付台システム１Ａの制御により、加入者捕捉処理が行われ、試験が実施される（Ｓ１１０６）。ここで、加入者捕捉処理とは、試験受付台システム１Ａからの指示により、加入者線交換機３または後記する遠隔収容装置５（図１２参照）に設けられた試験器１０（図１２参照）を起動し、対象となる加入者線を試験器１０に引き込み、試験器１０と試験受付台システム１Ａとをつなげる処理をいう。なお、ここで加入者線を試験器１０に引き込むとは、具体的には、加入者線交換機３または遠隔収容装置５において、試験の対象となる加入者の加入者端末２が収容されている加入者回路（ＬＣ）５１（後記する図１２参照）に設けられたスイッチを試験器１０側の加入者線試験のための引込線（ＬＴ）に切り替え、加入者線と試験器１０とを引込線経由で接続することをいう。この加入者捕捉処理を行うことにより、試験受付台システム１Ａからの指示に基づく、試験器１０の加入者線試験が可能となる。そして、試験器１０による試験終了後、入力された連絡先番号に試験受付台システム１Ａから試験結果が通知（アナウンス）されて終了する（Ｓ１１０７）。
【００１１】
また、故障受付の場合は、試験受付の動作におけるステップＳ１１０１〜Ｓ１１０４までと同様の処理を行い、試験受付台システム１Ａに接続される。ただし、故障受付の場合は、ステップＳ１１０４の後で、試験受付台システム１Ａは、保守者へ故障を受け付けた旨の通知を行う。通知を受けた保守者は、故障対応を行う。具体的には、試験受付台システム１Ａを用いて、故障受付で受け付けた発信者により指定される加入者線に対して、保守者が前記した試験受付を実施することで、故障箇所や故障内容を特定して対応する。そして、その故障対応が終了すると、故障を通知した発信者に保守者から故障対応が完了した旨の連絡がなされる。
【００１２】
また、以前は、加入者線試験方法として、試験対象の加入者線試験を実施する試験器１０と、試験器１０の起動、試験結果の収集等を指示する試験受付台システム１Ａと、の試験制御ルートとして、通話回線とは別に試験用に回線を設定して、試験を実施するアウトチャネル試験方式が採用されていた。しかし、アウトチャネル試験方式では、被試験加入者の回線を収容する遠隔収容装置５や、その遠隔収容装置５が収容される加入者線交換機（ＧＣ）３、遠隔収容装置５または加入者線交換機３に備わる試験器１０等を特定して、試験リソースを確保する必要がある。そのために、各装置のデータベース（ＤＢ）に、被試験加入者の回線の収容先（転送先）を問合せしながら試験を行う必要があった。このように、複数の装置を介して試験を行うため、試験レスポンスが悪い、また、試験シーケンスの変更、機能追加時に複数の装置の機能変更が必要になる等の問題があった。
【００１３】
そこで、最近では、アウトチャネル試験方式のように、試験器１０と試験受付台システム１Ａとの試験制御ルートとして、通話回線とは別の試験用回線を設定して試験を実施するのではなく、通話回線をそのまま用いて試験を実施するインチャネル試験方式が用いられている（例えば、特許文献１参照）。インチャネル試験方式では、加入者端末２や、試験器１０、遠隔収容装置５、加入者線交換機（ＧＣ）３等の配備箇所に依存せず、試験受付台システム１Ａから試験対象の加入者電話番号で、直接加入者（加入者線）を捕捉することが可能となる。そして、そのことにより、試験器１０、試験受付台システム１Ａ間の簡素化が図れる。
【００１４】
図１２は、従来技術におけるインチャネル試験方式を説明するための図である。図１２（ａ）は、インチャネル試験方式の全体構成を示す図である。また、図１２（ｂ）は、インチャネル試験方式における加入者捕捉処理と試験実施の流れを示すシーケンス図である。
【００１５】
図１２（ａ）に示すように、試験受付台システム１Ａと加入者線交換機３とはＰＳＴＮ網でつながっている。また、加入者線交換機３は、試験制御部３１と試験器１０とを備えている。この試験制御部３１は、試験受付台システム１Ａからの指示を受信し、加入者線試験のための処理の全般を司る。例えば、試験制御部３１は、試験受付台システム１Ａからの指示に基づき、遠隔収容装置５に設けられた試験器１０の起動を行い、試験器１０に加入者線試験のための引込線（ＬＴ）を引き込む制御をする。
【００１６】
また、ユーザが備える加入者端末２は、加入者線交換機３に直接収容（直収）されている場合（以下、「直収ユーザ」という）と、複数の加入者端末２が、遠隔収容装置５によりまとめられて加入者線交換機３に収容される場合（以下、「遠隔収容装置収容ユーザ」という）がある。図１２（ａ）は、遠隔収容装置収容ユーザの場合を示している。
【００１７】
この遠隔収容装置５は、加入者線交換機３との情報の送受信を行う通信手段（不図示）と、制御手段（不図示）と、試験器１０とを含んで構成される。制御手段は、各加入者端末２の加入者線とつながる加入者回路（ＬＣ）５１と、その加入者回路５１をまとめて加入者線交換機３と接続する多重化装置（ＭＵＸ）５２とを含んで構成される。また、試験器１０は、加入者線交換機３の試験制御部３１の制御により起動される。そして、試験制御部３１の制御により、加入者線試験のための引込線（ＬＴ）が試験器１０に引き込まれる、つまり、特定の加入者線とつながる加入者回路（ＬＣ）５１と試験器１０とが接続され、試験可能な状態となる。
【００１８】
次に、図１２（ａ）を参照しながら、図１２（ｂ）を用いて、インチャネル試験方式の処理の流れを説明する。このインチャネル試験方式の実施にあたり、最初に、試験受付台システム１Ａから被試験加入者電話番号を用いて被試験加入者を捕捉する（加入者捕捉処理）。続いて、捕捉した被加入者線の試験を試験受付台システム１Ａの制御により実施する。以下、具体的に説明する。
【００１９】
まず、試験受付台システム１Ａは、加入者の電話番号を用いて、加入者線交換機３にアクセスし加入者捕捉要請を行う（Ｓ１２０１）。次に、加入者捕捉要請を受け取った加入者線交換機３は、試験制御部３１の制御により、被試験加入者の加入者線を収容する遠隔収容装置５の試験器１０に、試験器起動指示（ＳＤ）を送出する（Ｓ１２０２）。これにより、試験制御部３１は、遠隔収容装置５の試験器１０に被試験加入者の通話チャネル（Ｂチャネル）を引き込ませる。次に、試験器１０の起動結果であるスキャン情報（ＳＣＮ）を受け取ると（Ｓ１２０３）、加入者線交換機３の試験制御部３１は、遠隔収容装置５の加入者回路（ＬＣ）５１を制御し、加入者線試験のための引込線（ＬＴ）を引き込み（Ｓ１２０４）、被試験加入者の加入者線と試験器１０とを加入者線試験のための引込線（ＬＴ）経由で接続する。これにより、加入者捕捉の状態となり、試験が可能となる。そして、加入者線交換機３の試験制御部３１は、加入者捕捉結果を試験受付台システム１Ａに送信する（Ｓ１２０５）。
【００２０】
次に、試験受付台システム１Ａは、加入者捕捉結果を受信すると、試験器１０と試験受付台システム１Ａとの間に接続された通話チャネル（Ｂチャネル）を用いて、試験器１０に試験指示を送信する（Ｓ１２０６）。そして、試験器１０による加入者線試験が行われ、その試験結果を、試験受付台システム１Ａは、遠隔収容装置５の試験器１０から受信する（Ｓ１２０７）。
【００２１】
なお、試験器１０は、加入者回路（ＬＣ）５１のコマンド／ステータス（ＳＤ／ＳＣＮ）を常時監視しており、試験器１０の起動は、加入者回路（ＬＣ）５１のＳＤにより制御される。また、試験器１０への試験指示および試験結果は、ＬＡＰＢ（Link Access Procedure, Balanced）等の通信手順で行われる。図１２は、前記したように、遠隔収容装置５に収容されている加入者端末２に対する試験方式の例を示しているが、加入者線交換機（ＧＣ）３に直収される加入者端末２に対しても、同様に、加入者線交換機３が備える試験器１０により、試験制御部３１が制御を行い、インチャネル試験方式で試験の実施をすることができる。
【先行技術文献】
【非特許文献】
【００２２】
【非特許文献１】電話商品・サービス、“１１３ 電話の故障”、［online］、ＮＴＴ東日本、［平成21年11月20日検索］、インターネット＜URL:http://web116.jp/phone/telephone/index.html#113_title＞
【特許文献】
【００２３】
【特許文献１】特開平９−１３０４８３号公報
【発明の概要】
【発明が解決しようとする課題】
【００２４】
前記した加入者線試験のための技術は、レガシーネットワーク（ＰＳＴＮ）において、試験受付台接続サービス（試験受付、故障受付）を提供するためのものである。しかし、近年普及しつつあるＩＰ網において、従来システムで実施しているこの試験受付台接続サービスを既存のインチャネル試験方式で実現しようとする場合、以下のような課題があり、そのままでは実現することができない。
【００２５】
（１）ＩＰ網において実現しようとする場合、加入者捕捉用の試験呼を通常の呼と区別するために標準のＳＩＰ（Session Initiation Protocol）に拡張が必要となる。
【００２６】
（２）通話チャネル（Ｂチャネル）でのＬＡＰＢ通信を、ＩＰ網上の音声パケット（ＲＴＰ：Real-time Transport Protocol）で実現する場合、既存ＰＳＴＮのＳＴＭ（Synchronous Transfer Mode）と異なり、遅延、パケットロス、揺らぎ等により、通信の正常性、疎通性が保障されない。
【００２７】
（３）現在、ＰＳＴＮ網で加入者を収容している既存装置、特に遠隔収容装置５は、屋外やユーザビル内に設置され台数も多いため、ＩＰ化装置に置き換える場合のコスト等を考えると、既存の遠隔収容装置５をそのまま流用させる必要がある。
【００２８】
（４）インチャネル試験方式の試験器１０は、全加入者のＳＤ制御（ＬＣ制御コマンド）を常時監視し、試験器起動指示のＳＤ制御を検出した場合は、その加入者の通話チャネル（Ｂチャネル）をＩＰ変換装置に引き込む等の処理が必要になり、試験器１０や多重化装置（ＭＵＸ）５２の構成が複雑になる。
【００２９】
前記した課題を解決するために本発明がなされたのであり、本発明は、ＩＰ網において、試験受付台接続サービス（試験受付、故障受付）を行うことを可能にする、加入者線試験システム、加入者線試験方法、およびプログラムを提供することを目的とする。
【課題を解決するための手段】
【００３０】
前記した課題を解決するため、請求項１に記載の発明は、加入者端末に加入者線を介して接続され、通話チャネルを用いてＩＰ変換装置との間で加入者線試験の制御情報の送受信を行う遠隔収容装置と、ＩＰ網を介して前記制御情報を前記ＩＰ変換装置に送信する新試験受付台システムと、前記新試験受付台システムから前記制御情報を受信し、前記制御情報に基づき前記遠隔収容装置に設けられた試験器を制御する前記ＩＰ変換装置と、を備える加入者線試験システムであって、前記ＩＰ変換装置が、前記制御情報が記憶される記憶手段、前記遠隔収容装置および前記新試験受付台システムの間で情報の送受信を行う通信手段、並びに制御手段を備えており、前記制御手段が、前記新試験受付台システムから前記ＩＰ網を介して、前記遠隔収容装置に備えられた前記試験器に試験対象となる前記加入者線を引き込ませ前記試験器に前記加入者線試験を実施させる前記制御情報を受信し、前記受信した制御情報を、前記通話チャネルで送信するための制御情報に変換する試験コマンド変換部と、前記試験コマンド変換部により変換された制御情報を、前記遠隔収容装置に送信することにより、前記遠隔収容装置に備えられた前記試験器を制御する試験接続制御部と、を備え、前記遠隔収容装置が、前記変換された制御情報を前記通話チャネルを介して前記ＩＰ変換装置から受信する通信手段と、前記変換された制御情報に基づき前記加入者線を前記試験器に引き込む制御手段と、前記加入者線試験を実施する前記試験器とを備えることを特徴とする加入者線試験システムとした。
【００３１】
また、請求項３に記載の発明は、加入者端末に加入者線を介して接続され、通話チャネルを用いてＩＰ変換装置との間で加入者線試験の制御情報の送受信を行う遠隔収容装置と、ＩＰ網を介して前記制御情報を前記ＩＰ変換装置に送信する新試験受付台システムと、前記新試験受付台システムから前記制御情報を受信し、前記遠隔収容装置に設けられた試験器を制御する前記ＩＰ変換装置と、を備える加入者線試験システムに用いられる加入者線試験方法であって、前記ＩＰ変換装置が、前記制御情報が記憶される記憶手段、前記遠隔収容装置および前記新試験受付台システムの間で情報の送受信を行う通信手段、並びに制御手段を備えており、前記制御手段が、前記新試験受付台システムから前記ＩＰ網を介して、前記遠隔収容装置に備えられた前記試験器に試験対象となる前記加入者線を引き込ませ前記試験器に前記加入者線試験を実施させる前記制御情報を受信し、前記受信した制御情報を、前記通話チャネルで送信するための制御情報に変換し、前記変換された制御情報を、前記遠隔収容装置に送信することにより、前記遠隔収容装置に備えられた前記試験器を制御し、前記遠隔収容装置が、前記変換された制御情報を、前記通話チャネルを介して前記ＩＰ変換装置から受信し、前記変換された制御情報に基づき前記加入者線を前記試験器に引き込み、前記加入者線試験を実施することを特徴とする加入者線試験方法とした。
【００３２】
このようにすることで、ＩＰ変換装置が、新試験受付台システムからＩＰ網を介して、加入者試験の制御情報を受信し、通話チャネルで送信するための制御情報に変換し、その変換された制御情報を用いて、遠隔装置に設けられた試験器を制御することができる。  よって、本発明によれば、ＩＰ網を用いた試験受付台試験サービスにおいて、遠隔収容装置に収容される加入者線端末について、加入者線試験を実施することができる。
また、本発明によれば、ＩＰ変換装置が、ＩＰ網を介して受信した制御情報を、通話チャネルで送信するための制御情報に変換するため、新試験受付台システムとＩＰ変換装置との間のＩＰ網において、加入者捕捉用の試験呼と通常の呼を区別するためにＳＩＰを拡張する必要はない。そして、ＩＰ網でのＲＴＰ上でＳＴＭによる制御情報の送受信を実現する必要がないことから、遅延、パケットロス、揺らぎ等の問題を考慮しなくてすむ。さらに、ＩＰ変換装置が制御情報を通話チャネル用に変換するため、既存の遠隔収容装置をそのまま流用することができる。
【００３３】
請求項２に記載の発明は、加入者端末に加入者線を介して接続されるＩＰ変換装置と、前記ＩＰ変換装置とＩＰ網を介して接続され、前記加入者線の加入者線試験の制御情報を前記ＩＰ変換装置に送信する新試験受付台システムと、を備える加入者線試験システムであって、前記ＩＰ変換装置が、前記制御情報が記憶される記憶手段、前記新試験受付台システムとの情報の送受信を行う通信手段、制御手段、および前記加入者線を試験する試験器を備えており、前記制御手段が、前記新試験受付台システムから前記ＩＰ網を介して、前記通信手段が受信した前記制御情報に基づき、試験対象となる前記加入者線を前記試験器に引き込み、前記試験器に前記加入者線試験を実施させる制御を行う試験接続制御部を備えることを特徴とする加入者線試験システムとした。
【００３４】
また、請求項４に記載の発明は、加入者端末に加入者線を介して接続されるＩＰ変換装置と、前記ＩＰ変換装置とＩＰ網を介して接続され、前記加入者線の加入者線試験の制御情報を前記ＩＰ変換装置に送信する新試験受付台システムと、を備える加入者線試験システムに用いられる加入者線試験方法であって、前記ＩＰ変換装置が、前記制御情報が記憶される記憶手段、前記新試験受付台システムとの情報の送受信を行う通信手段、制御手段、および前記加入者線を試験する試験器を備えており、前記制御手段が、前記新試験受付台システムから前記ＩＰ網を介して、前記通信手段が受信した前記制御情報に基づき、試験対象となる前記加入者線を前記試験器に引き込み、前記試験器に前記加入者線試験を実施させる制御を行うことを特徴とする加入者線試験方法とした。
【００３５】
このようにすることで、ＩＰ変換装置が、新試験受付台システムからＩＰ網を介して、加入者試験の制御情報を受信し、その受信した制御情報を用いて、自己のＩＰ変換装置に備わる試験器を制御することができる。よって、本発明によれば、ＩＰ網を用いた試験受付台試験サービスにおいて、ＩＰ変換装置に直接収容される加入者線端末について、加入者線試験を実施することができる。
また、本発明によれば、ＩＰ変換装置が、ＩＰ網を介して受信した制御情報を用いて、試験器を制御するため、従来のインチャネル試験方式の試験器が実施していた、全加入者のＳＤ制御（ＬＣコマンド）の常時監視、試験器起動のＳＤ制御の検出等が不要となる。
【００３６】
請求項５に記載の発明は、請求項１または請求項２に記載の加入者線試験システムにおいて前記ＩＰ網に収容される前記新試験受付台システムの代わりに、ＰＳＴＮ網に収容される試験受付台システムを用いて前記加入者線試験を実施する加入者線試験システムであって、前記ＩＰ網と前記ＰＳＴＮ網との間にゲートウェイを設け、前記ゲートウェイが前記ＩＰ網における前記制御情報と前記ＰＳＴＮ網における前記制御情報とを相互に変換する制御情報変換手段を備え、前記試験受付台システムが、前記制御情報を、前記ＰＳＴＮ網を介して前記ゲートウェイに送信し、前記ゲートウェイが、前記ＰＳＴＮ網における前記制御情報を受信し、前記制御情報変換手段が、当該制御情報を前記ＩＰ網における前記制御情報に変換して、前記ＩＰ変換装置に送信することにより、前記ＰＳＴＮ網に収容される試験受付台システムが、前記ＩＰ網に収容される前記試験対象となる前記加入者線の前記加入者線試験を制御することを特徴とする加入者線試験システムとした。
【００３７】
このようにすることで、ゲートウェイにおいて、ＩＰ網における制御信号とＰＳＴＮ網における制御信号とを相互に変換し、ＩＰ網に収容される加入者線の加入者線試験をＰＳＴＮ網に設けられる試験受付台システムで制御することができる。
【００３８】
請求項６に記載の発明は、ＰＳＴＮ網に収容される試験受付台システムの代わりに、請求項１または請求項２に記載の加入者線試験システムにおいて前記ＩＰ網に収容される前記新試験受付台システムを用いて前記加入者線試験を実施する加入者線試験システムであって、前記ＩＰ網と前記ＰＳＴＮ網との間にゲートウェイを設け、前記ゲートウェイが前記ＩＰ網における前記制御情報と前記ＰＳＴＮ網における前記制御情報とを相互に変換する制御情報変換手段を備え、前記新試験受付台システムが、前記制御情報を、前記ＩＰ網を介して前記ゲートウェイに送信し、前記ゲートウェイが、前記ＩＰ網における前記制御情報を受信し、前記制御情報変換手段が、当該制御情報を前記ＰＳＴＮ網における前記制御情報に変換して、前記ＰＳＴＮ網に設けられ前記加入者線を試験するための前記試験器を収容する加入者線交換機に送信することにより、前記ＩＰ網に収容される新試験受付台システムが、前記ＰＳＴＮ網に収容される前記試験対象となる前記加入者線の前記加入者線試験を制御することを特徴とする加入者線試験システムとした。
【００３９】
このようにすることで、ゲートウェイにおいて、ＩＰ網における制御信号とＰＳＴＮ網における制御信号とを相互に変換し、ＰＳＴＮ網に収容される加入者線の加入者線試験をＩＰ網に設けられる新試験受付台システムで制御することができる。
【００４０】
請求項７に記載の発明は、請求項３または請求項４に記載の加入者線試験方法をコンピュータに実行させるためのプログラム。
【００４１】
このようなプログラムによれば、請求項３または請求項４に記載の加入者線試験方法を一般的なコンピュータで実現することができる。
【発明の効果】
【００４２】
本発明によれば、ＩＰ網において、試験受付台接続サービス（試験受付、故障受付）を行うことを可能にする、加入者線試験システム、加入者線試験方法、およびプログラムを提供することができる。
【図面の簡単な説明】
【００４３】
【図１】本実施形態に係る加入者線試験システムを説明するための図である。
【図２】本実施形態に係る加入者線試験システムを遠隔収容装置収容ユーザに適応する例を説明するための図である。
【図３】本実施形態に係る加入者線試験システムを直収ユーザに適応する例を説明するための図である。
【図４】ＰＳＴＮ網に収容される試験受付台システムでＩＰ網の収容ユーザの試験を実施する加入者線試験システムを示す図である。
【図５】ＰＳＴＮ網に収容される試験受付台システムの制御により、ＩＰ網の収容ユーザの試験を実施する処理の流れを示すシーケンス図である。
【図６】ＩＰ網に収容される新試験受付台システムでＰＳＴＮ網の収容ユーザの試験を実施する加入者線試験システムを示す図である。
【図７】ＩＰ網に収容される新試験受付台システムの制御により、ＰＳＴＮ網の収容ユーザの試験を実施する処理の流れを示すシーケンス図である。
【図８】ＰＳＴＮ網の試験受付台システムとＩＰ網の新試験受付台システムとの間で連携して試験を実施する加入者線試験システムを示す図である。
【図９】ＰＳＴＮ網の試験受付台システムとＩＰ網の新試験受付台システムとの間で連携して、ＩＰ網の収容ユーザの試験を実施する処理の流れを示すシーケンス図である。
【図１０】ＰＳＴＮ網の試験受付台システムとＩＰ網の新試験受付台システムとの間で連携して、ＰＳＴＮ網の収容ユーザの試験を実施する処理の流れを示すシーケンス図である。
【図１１】従来技術における加入者線試験システムを説明するための図である。
【図１２】従来技術におけるインチャネル試験方式を説明するための図である。
【発明を実施するための形態】
【００４４】
次に、本発明を実施するための形態（「実施形態」という）について、適宜図面を参照しながら詳細に説明する。
【００４５】
まず、本実施形態に係る加入者線試験システムの概要を説明する。
従来のインチャネル試験方式を用いた加入者線試験方法では、電話番号を用いて被試験加入者の捕捉を行っていた。それに対し、本発明においては、ＩＰ網において、試験受付台接続サービス（試験受付、故障受付）による加入者線試験を行うため、新試験受付台システム（ＩＰ網に収容される試験受付台システムを、以下「新試験受付台システム」という）からＩＰ網経由でＩＰ変換装置にtelnet等（例えば、ｓｓｈ、ｈｔｔｐ等のネットワークを介して、別コンピュータにアクセス可能なプロトコル）で接続し、試験を実施する方式とする。そのため、前記した課題（１）に関して、加入者捕捉用の試験呼を通常の呼と区別するためにＳＩＰを拡張する必要はないものとなる。なお、本実施形態においては、新試験受付台システムとＩＰ変換装置との間を、telnetで接続するものとして説明する。
【００４６】
図１は、本実施形態に係る加入者線試験システム１００を説明するための図である。図１に示すように、本実施形態に係る加入者線試験システム１００は、加入者端末２、遠隔収容装置５、ＩＰ変換装置６、加入者サーバ７、中継サーバ８、および新試験受付台システム１Ｂを含んで構成される。
本実施形態に係る加入者試験システム１００において、新試験受付台システム１Ｂと加入者端末２から呼接続を受け付けるＩＰ変換装置６（６ａ）との間はＩＰ網で構築される。また、図１に示すように、加入者端末２と呼接続の要求を受けるＩＰ変換装置６（６ａ）との接続には、加入者端末２がＩＰ変換装置６（６ａ）に直収される場合（直収ユーザ）と、遠隔収容装置５を介してＩＰ変換装置６（６ａ）に収容される場合（遠隔収容装置収容ユーザ）とがある。
【００４７】
まず、図１を用いて、ＩＰ網を用いた試験受付台接続サービス（試験受付、故障受付）で提供される試験受付の処理動作について説明する。
【００４８】
まず、試験者（発信者）により、試験受付用特番（「１２３」「４５６」等の３桁の番号）がダイヤルされると（Ｓ１０１）、加入者端末（または試験者の端末）２からＩＰ変換装置６（６ａ）を経由し、発加入者サーバ７（７ａ）に送られる。ここで加入者サーバ７は、ＩＰ網で呼制御を行うサーバであり、例えば、ＳＩＰサーバである。
【００４９】
次に、発加入者サーバ７（７ａ）が、ダイヤルされた番号を、新試験受付台システム受付用番号（システム固有番号）に番号変換し、中継サーバ８を介して、新試験受付台システム１Ｂを収容している着加入者サーバ７（７ｂ）にルーティングを行う（Ｓ１０２）。
【００５０】
着加入者サーバ７（７ｂ）では、新試験受付台システム受付用番号への着信を識別し、強制的に発信者の発ＩＤ（電話番号等）を取得して、新試験受付台システム１Ｂに通知する（Ｓ１０３）。
【００５１】
新試験受付台システム１Ｂが、着加入者サーバ７（７ｂ）からの通知を受け付けると（Ｓ１０４）、試験者に対し、試験を実施するために必要な情報である試験実施情報（被試験対象番号、試験項番、連絡先番号等）の入力を促すガイダンスを送信する。
【００５２】
次に、新試験受付台システム１Ｂからのガイダンスに従って、試験実施情報が、ＰＢ信号で試験者により入力される（Ｓ１０５）。入力された試験実施情報は、ＩＰ変換装置６（６ａ）を介して新試験受付台システム１Ｂへ送信される。
【００５３】
続いて、受信した試験実施情報に基づいて、新試験受付台システム１Ｂの制御により、加入者捕捉処理が行われ、試験が実施される（Ｓ１０６）。具体的には、新試験受付台システム１ＢからＩＰ網経由でtelnetにより試験指示がＩＰ変換装置６（６ａ）に送信される。そして、直収ユーザに対しては、ＩＰ変換装置６（６ａ）が備える試験器１０によりtelnetで送信される制御コマンドに基づき試験が実施される。一方、遠隔収容装置収容ユーザに対しては、telnetによる制御コマンドをインチャネル方式に変換して、遠隔収容装置５が備える試験器１０により試験が実施される。そして、試験終了後、入力された連絡先番号に新試験受付台システム１Ｂから試験結果が通知（アナウンス）されて終了する（Ｓ１０７）。なお、加入者捕捉処理および試験実施については、後記する図２および図３において詳細に説明する。
【００５４】
また、故障受付の場合は、試験受付の動作におけるステップＳ１０１〜Ｓ１０４までと同様の処理を行い、新試験受付台システム１Ｂに接続される。ただし、故障受付の場合、ステップＳ１０４の後で、新試験受付台システム１Ｂが、保守者へ通知を行う。そして、保守者により、通知を受けた加入者線の加入者線試験が本加入者線試験システム１００で実施される。
【００５５】
次に、本実施形態に係る加入者線試験システム１００における試験処理について、具体的に説明する。前記したように、本実施形態に係る加入者線試験システム１００は、遠隔収容装置５に収容されるユーザ（遠隔収容装置収容ユーザ）に対しては、新試験受付台システム１Ｂからの指示をＩＰ変換装置６（６ａ）が終端し、従来のインチャネル方式に変換して試験を実施する（後記する図２参照）。それに対し、ＩＰ変換装置６（６ａ）に直収されるユーザ（直収ユーザ）に対しては、新試験受付台システム１Ｂからのtelnet接続による指示で試験を実施する（後記する図３参照）ものである。
【００５６】
図２は、本実施形態に係る加入者線試験システム１００を遠隔収容装置収容ユーザに適応する例を説明するための図である。図２（ａ）は、本実施形態に係る加入者線試験システム１００の構成例を示す機能ブロック図である。また、図２（ｂ）は、遠隔収容装置ユーザの試験処理の流れを示すシーケンス図である。
【００５７】
図２（ａ）に示すように、新試験受付台システム１ＢとＩＰ変換装置６（６ａ）との間は、ＩＰ網でつながれる。そして、このＩＰ変換装置６は、直収ユーザおよび遠隔収容装置ユーザをＩＰ化するＶｏＩＰ（Voice over IP）機能を持つコンピュータ装置であり、コンピュータ全体の処理を制御する制御手段（不図示）、ハードディスク等の記憶手段（不図示）、通信インタフェースを備える通信手段（不図示）、および試験器１０を含んで構成される。この制御手段は、ＣＰＵ（Central Processing Unit）とメモリによって構成され、記憶手段に記憶されたプログラムをＣＰＵがメモリに展開することで実現される。
【００５８】
また、制御手段は、試験接続制御部６１および試験コマンド変換部６２を備えている。この試験コマンド変換部６２は、telnet接続による試験指示等を、従来のインチャネル方式に変換し、試験接続制御部６１に引き渡す。また、試験接続制御部６１は、図１２に示した加入者線交換機３の試験制御部３１と同様の機能に加えて、直収ユーザに対し、telnet接続で、自己のＩＰ変換装置６に備わる試験器１０を起動させ、試験を実施させる。
【００５９】
図２（ａ）に示す遠隔収容装置５は、図１２に示した従来技術における遠隔収容装置５と同様の構成および機能を備えるため説明は省略する。
【００６０】
図２（ａ）を参照しながら、図２（ｂ）を用いて、本実施形態における遠隔収容装置ユーザの試験処理（加入者補足処理および試験実施）の流れを説明する。
【００６１】
まず、新試験受付台システム１Ｂは、被試験加入者が収容されるＩＰ変換装置６のＩＰアドレス宛にtelnetで接続する（Ｓ２０１）。次に、被試験加入者を収容するＩＰ変換装置６は、新試験受付台システム１Ｂから加入者捕捉要請を受け取ると（Ｓ２０２）、試験コマンド変換部６２によりインチャネル方式に変換し、試験接続制御部６１に引き渡す。そして、ＩＰ変換装置６の試験接続制御部６１は、被試験加入者の加入者線を収容する遠隔収容装置５の試験器１０に、試験器起動指示（ＳＤ）を送出し（Ｓ２０３）、遠隔収容装置５の試験器１０に被試験加入者の通話チャネル（Ｂチャネル）を引き込ませる。次に、試験器１０の起動結果であるスキャン情報（ＳＣＮ）を受け取ると（Ｓ２０４）、ＩＰ変換装置６の試験接続制御部６１は、遠隔収容装置５の加入者回路（ＬＣ）５１を制御し、加入者線試験のための引込線（ＬＴ）を引き込み（Ｓ２０５）、被試験加入者の加入者線と試験器１０とを加入者線試験のための引込線（ＬＴ）経由で接続する。そして、ＩＰ変換装置６の試験接続制御部６１は、加入者捕捉結果を試験コマンド変換部６２に引き渡し、試験コマンド変換部６２がtelnetに変換して新試験受付台システム１Ｂに送信する（Ｓ２０６）。
【００６２】
次に、新試験受付台システム１Ｂは、加入者捕捉結果を受信すると、試験指示をＩＰ網経由でＩＰ変換装置６に送信する（Ｓ２０７）。続いて、ＩＰ変換装置６は、新試験受付台システム１ＢからのＩＰ（telnet）による試験コマンドを終端し、試験コマンド変換部６２により、インチャネル試験に変換する。telnetによる制御コマンドを、通話チャネル（Ｂチャネル）による試験指示に変換することにより、遠隔収容装置収容ユーザに対して、インチャネル試験を実施することが可能となる。そして、ＩＰ変換装置６の試験接続制御部６１は、ＩＰ変換装置６と遠隔収容装置５との間に接続された通話チャネル（Ｂチャネル）を用いて、遠隔収容装置５に設けられた試験器１０に試験指示を送信する（Ｓ２０８）。そして、ＩＰ変換装置６は、試験器１０による試験結果を、遠隔収容装置５の試験器１０から受信すると（Ｓ２０９）、ＩＰ変換装置６の試験コマンド変換部６２により、telnetに変換されて、新試験受付台システム１Ｂに送信される（Ｓ２１０）。
【００６３】
図３は、本実施形態に係る加入者線試験システム１００を直収ユーザに適応する例を説明するための図である。図３（ａ）は、本実施形態に係る加入者線試験システム１００の構成例を示す機能ブロック図である。また、図３（ｂ）は、直収ユーザの試験処理の流れを示すシーケンス図である。なお、図３（ａ）に示すＩＰ変換装置６は、図２（ａ）に示すＩＰ変換装置６と同様の構成であるが、図２（ａ）に示した遠隔収容装置収容ユーザの場合は、遠隔収容装置５に備える試験器１０が使用されるが、図３（ａ）に示す直収ユーザの場合は、ＩＰ変換装置６に備える試験器１０が使用される。
【００６４】
図３（ａ）に示すように、ＩＰ変換装置６に加入者端末２が直収されている場合、つまり、遠隔収容装置５を経由しない場合には、新試験受付台システム１ＢからＩＰ網経由でtelnet接続し、試験接続制御部６１の制御により、加入者捕捉処理が行われる。そして、試験接続制御部６１は、ＩＰ変換装置６に備わる試験器１０により試験を実施する。
【００６５】
図３（ｂ）のシーケンス図に示すように、ＩＰ変換装置６の試験接続制御部６１は、telnet接続を行い（Ｓ３０１）、ＩＰ変換装置６の試験接続制御部６１が加入者補足要請を受け取ると（Ｓ３０２）、試験接続制御部６１は、試験器１０を起動し（Ｓ３０３）、加入者線試験のための引込線（ＬＴ）を試験器１０に引き込む（Ｓ３０４）。そして、ＩＰ変換装置６の試験接続制御部６１は、加入者捕捉結果を新試験受付台システム１Ｂに送信する（Ｓ３０５）。
【００６６】
続いて、ＩＰ変換装置の試験接続制御部６１は、新試験受付台システム１Ｂからtelnetにより試験指示を受信し（Ｓ３０６）、試験器１０に受け渡す。そして試験器１０により試験が行われると、試験接続制御部６１は、試験器１０による試験結果を、telnetにより、新試験台受付システムに送信する（Ｓ３０７）。
【００６７】
なお、加入者線試験中は、ＩＰ変換装置６に試験閉塞をかけて、一般呼の着信に対しては、話中で応答する。ただし、緊急呼を着信した場合は、試験を中断し加入者捕捉を解放して、その着信を優先させることも可能である。
【００６８】
以上説明した本実施形態に係る加入者線試験システム、加入者線試験方法、およびプログラムによれば、前記した課題（１）〜（４）を、次に示すように解決する作用効果を有する。
【００６９】
（１）従来技術では、電話番号を用いて被試験加入者の捕捉を行っていたが、本発明においては、新試験受付台システム１ＢからＩＰ網経由でＩＰ変換装置６にtelnetで接続し、試験を実施する方式とした。そのため、加入者捕捉用の試験呼を通常の呼と区別するためにＳＩＰを拡張する必要はない。
【００７０】
（２）また、試験加入者の捕捉、試験指示、試験結果等をtelnet接続で実施するため、ＩＰ網上の音声パケット（ＲＴＰ）でＳＴＭの通信を実現する場合の遅延、パケットロス、揺らぎ等の問題を考慮する必要がない。さらに、試験シーケンスの簡素化により、機能追加時の開発費も低く抑えられる。
【００７１】
（３）ＰＳＴＮ網で収容している既存の遠隔収容装置５は、屋外、ユーザビル内に設置され台数も多いことから、網をＩＰ化した場合でも流用することが望まれる。このため、遠隔収容装置５を収容するＩＰ変換装置６に、新試験受付台システム１Ｂからの試験を、既存のインチャネル試験に変換する機能（試験コマンド変換部６２）を備える。このことにより、ＩＰ変換装置６が、新試験受付台システム１ＢからのＩＰ（telnet）による試験コマンドを終端し、ＳＤ／ＳＣＮによる試験器起動や、通話チャネル（Ｂチャネル）による試験指示に変換することにより、遠隔収容装置５に対してインチャネル試験を可能とする。
【００７２】
（４）既存ＰＳＴＮ網で実施しているインチャネル試験方式は、試験受付台システム１Ａと試験器１０との制御ルートとして、電話回線を使用し、電話番号で加入者を捕捉する。これに対し、本発明では、制御ルートとしてＩＰ変換装置６まではtelnet接続で実施し、ＩＰ変換装置６と遠隔収容装置５間は、インチャネル試験方式で実施する。また、直収ユーザへは、ＩＰ変換装置６に配置された試験器１０により、telnet接続で試験を実施する。このため、直収ユーザに対しては、インチャネル試験方式で実施していた加入者のＳＤ（ＬＣ制御コマンド）の常時監視、試験器起動のＳＤ制御の検出等が不要となり、ＩＰ変換装置６に配置された試験器１０の処理が簡素化される。
【００７３】
このように、本発明によれば、ＩＰ網において、試験受付台接続サービス（試験受付、故障受付）を行うことを可能にする、加入者線試験システム、加入者線試験方法、およびプログラムを提供することができる。
【００７４】
（ＰＳＴＮ網とＩＰ網との連携システム）
次に、本実施形態に係る加入者線試験システム１００を用いたＰＳＴＮ網とＩＰ網との連携について説明する。ＰＳＴＮ網とＩＰ網とを連携させるシステムについては、（１）ＩＰ網側に新試験受付台システム１Ｂを設けず、既存ＰＳＴＮ網に設けられた試験受付台システム１Ａに、加入者線試験を集約する方式、（２）既存ＰＳＴＮ網側に試験受付台システム１Ａを設けず、ＩＰ網に設けられた新試験受付台システム１Ｂに、加入者線試験を集約する方式、（３）既存ＰＳＴＮ網側に試験受付台システム１Ａを設け、ＩＰ網側にも新試験受付台システム１Ｂを設けて、２つのシステム間で連携する方式、が考えられる。この３つの方式において、ＰＳＴＮ網とＩＰ網との情報を交換するためのゲートウェイ（ＧＷ）９を設ける。このゲートウェイ（ＧＷ）９により、インチャネル試験とtelnetによる試験との制御情報の交換を行う。
【００７５】
（ＰＳＴＮ網とＩＰ網との連携システム１）
図４は、ＰＳＴＮ網の試験受付台システム１ＡでＩＰ網の収容ユーザの試験を実施する加入者線試験システム１００ａを示す図である。
図４に示す加入者線試験システム１００ａにおいては、ＰＳＴＮ網収容ユーザおよびＩＰ網収容ユーザからの試験受付、故障受付ともに、ＰＳＴＮ網の試験受付台システム１Ａに接続させる。
【００７６】
この加入者線試験システム１００ａでは、ＰＳＴＮ網収容のユーザに関しては、インチャネル試験を行う。それに対し、ＩＰ網に収容されるユーザの加入者線試験に関しては、ゲートウェイ（ＧＷ）９にインチャネル試験とＩＰ網でのtelnetによる試験との変換手段（制御情報変換手段）を備えさせることにより、ＰＳＴＮ網に属する試験受付台システム１Ａからのインチャネル試験を、ゲートウェイ（ＧＷ）９において、ＩＰ網でのtelnetでの試験に変換する。そして、ＩＰ変換装置６に接続することで、ＩＰ網収容のユーザの試験を実施する。
【００７７】
具体的には、図４に示すように、ＩＰ網に収容されるユーザから、ＩＰ変換装置６を介しＩＰ網経由でゲートウェイ（ＧＷ）９に呼接続情報が送信されると、ゲートウェイ（ＧＷ）９の制御情報変換手段（不図示）は、ＩＰ網における呼接続情報をＰＳＴＮ網における呼接続情報に変換し、中継交換機４および加入者線交換機３を介して、ＰＳＴＮ網に収容される試験受付台システム１Ａに送信する。そして、ＰＳＴＮ網に収容される試験受付台システム１Ａが、加入者捕捉と試験指示等の制御を行う。
【００７８】
図５は、ＰＳＴＮ網に収容される試験受付台システム１Ａの制御により、ＩＰ網の収容ユーザの試験を実施する処理の流れを示すシーケンス図である。
図５に示すように、試験受付台システム１Ａは、ゲートウェイ（ＧＷ）９に対して加入者捕捉要請を行い、ゲートウェイ（ＧＷ）９の制御情報変換手段が、ＩＰ網（telnet）における制御情報に変換することで、ゲートウェイ（ＧＷ）９からＩＰ変換装置６に対して、加入者捕捉要請が送信される。その後は、図２（ｂ）のステップＳ２０１〜Ｓ２０６と同様の処理を行い、ゲートウェイ（ＧＷ）９が加入者捕捉結果を受け取ると、ゲートウェイ（ＧＷ）９の制御情報変換手段は、ＰＳＴＮ網（ＳＴＭ）に変換して、加入者捕捉結果を試験受付台システム１Ａに送信する。次に、試験受付台システム１Ａは、加入者捕捉結果を受信すると、通話チャネル（Ｂチャネル）を用いて、ゲートウェイ（ＧＷ）９に試験指示を送信する。そして、ゲートウェイ（ＧＷ）９の制御情報変換手段により試験指示がＩＰ網（telnet）による試験指示に変換され、ＩＰ変換装置６へ送信される。続いて、加入者線試験後、telnetによる試験結果をゲートウェイ（ＧＷ）９の制御情報変換手段が、ＰＳＴＮ網（ＳＴＭ）に変換し、試験結果を試験受付台システム１Ａが受信する。
【００７９】
このようにすることで、ＰＳＴＮ網の試験受付台システム１ＡでＩＰ網の収容ユーザの加入者線試験を実施することができる。
【００８０】
（ＰＳＴＮ網とＩＰ網との連携システム２）
図６は、ＩＰ網の新試験受付台システム１ＢでＰＳＴＮ網の収容ユーザの試験を実施する加入者線試験システム１００ｂを示す図である。
図６に示す加入者線試験システム１００ｂにおいて、ＩＰ網収容ユーザおよびＰＳＴＮ網収容ユーザからの試験受付、故障受付はともに、ＩＰ網の新試験受付台システム１Ｂに接続される。
【００８１】
この加入者線試験システム１００ｂでは、ＩＰ網収容ユーザに関しては、telnetによる試験を行う。また、ＰＳＴＮ網収容のユーザに関しては、ゲートウェイ（ＧＷ）９にＩＰ網でのtelnetによる試験とインチャネル試験との変換手段（制御情報変換手段）を備えさせることにより、図７のシーケンス図に示すとおり、ＩＰ網に属する新試験受付台システム１Ｂからのtelnetによる試験を、ゲートウェイ９において、インチャネル試験に変換する。そして、加入者線交換機３を介して遠隔収容装置５に接続することで、ＰＳＴＮ網収容のユーザの加入者捕捉処理を行い、加入者線試験を実施する。
【００８２】
このようにすることで、ＩＰ網の新試験受付台システム１ＢでＰＳＴＮ網の収容ユーザの加入者線試験を実施することができる。
【００８３】
（ＰＳＴＮ網とＩＰ網との連携システム３）
図８は、ＰＳＴＮ網の試験受付台システム１ＡとＩＰ網の新試験受付台システム１Ｂとの間で連携して試験を実施する加入者線試験システム１００ｃを示す図である。図８においては、ＰＳＴＮ網収容ユーザからＰＳＴＮ網の試験受付台システム１Ａに試験依頼があった場合には、ＰＳＴＮ網収容の試験受付台システム１Ａから試験を実施する。また、ＩＰ網収容のユーザからＩＰ網の新試験受付台システム１Ｂに試験依頼があった場合には、ＩＰ網収容の新試験受付台システム１Ｂから試験を実施する。ただし、図８（ａ）に示すように、ＰＳＴＮ網の試験受付台システム１ＡにＩＰ網収容ユーザの試験依頼があった場合には、システム間においてＯｐＳ（Operation Systems）連携をとり、そのユーザに対する試験は、ＰＳＴＮ網側の試験受付台システム１ＡからＩＰ網側の新試験受付台システム１Ｂに試験を依頼する。図９は、図８（ａ）のおける処理の流れを示すシーケンス図である。
【００８４】
図８（ｂ）は、図８（ａ）とは逆に、ＩＰ網の新試験受付台システム１ＢにＰＳＴＮ網収容ユーザの試験依頼が場合を示している。この場合、ユーザに対する試験は、ＩＰ網側の新試験受付台システム１ＢからＯｐＳ連携しているＰＳＴＮ網側の試験受付台システム１Ａに試験を依頼する。図１０は、図８（ｂ）における処理の流れを示すシーケンス図である。
【００８５】
このようにすることで、既存のＰＳＴＮ網に収容される試験受付台システム１Ａと、ＩＰ網に収容される新試験受付台システム１Ｂとを連携させて、試験受付台システム１Ａは、ＩＰ網に収容されるユーザの加入者線試験を行うことができる。また、新試験受付台システム１Ｂは、ＰＳＴＮ網に収容されるユーザの加入者線試験を行うことができる。
【符号の説明】
【００８６】
１Ａ    試験受付台システム
１Ｂ    新試験受付台システム
２      加入者端末
３      加入者線交換機（ＧＣ）
４      中継交換機
５      遠隔収容装置
６      ＩＰ変換装置
７      加入者サーバ
８      中継サーバ
９      ゲートウェイ（ＧＷ）
１０    試験器
３１    試験制御部
５１    加入者回路（ＬＣ）
５２    多重化装置（ＭＵＸ）
６１    試験接続制御部
６２    試験コマンド変換部
１００  加入者線試験システム
【図１】
2011120012.tif 000003
【図２】
2011120012.tif 000004
【図３】
2011120012.tif 000005
【図４】
2011120012.tif 000006
【図５】
2011120012.tif 000007
【図６】
2011120012.tif 000008
【図７】
2011120012.tif 000009
【図８】
2011120012.tif 000010
【図９】
2011120012.tif 000011
【図１０】
2011120012.tif 000012
【図１１】
2011120012.tif 000013
【図１２】
2011120012.tif 000014